(57)【特許請求の範囲】
【請求項１】
入力音声信号に対するピッチ検出方法において、
入力された音声信号を前処理してフーリエ変換を遂行する段階と、
変換された音声信号に対して補間を遂行する段階と、
変換および補間された音声信号のスペクトラムの差異によってスペクトル差を計算する段階と、
計算されたスペクトル差を用いてスペクトル自己相関値を計算する段階と、
計算されたスペクトル自己相関値に基づいて有声音区間を決定する段階と、
有声音区間に該当するスペクトル自己相関値を用いてピッチを検出する段階と、
を含むことを特徴とするピッチ検出方法。
【請求項２】
変換された音声信号に対して補間を遂行する前記段階は、
所定の低域周波数範囲に該当する振幅に対して低域通過補間を遂行する段階と、
最初のサンプルレートのR倍に該当するようにシーケンスをリサンプリングする段階と、
を含むことを特徴とする請求項1に記載のピッチ検出方法。
【請求項３】
変換および補間された音声信号のスペクトラムの差異によってスペクトル差を計算する前記段階は、
正の値を有するスペクトラムに対する差異によって前記スペクトル差を計算することを特徴とする請求項1に記載のピッチ検出方法。
【請求項４】
計算されたスペクトル差を用いてスペクトル自己相関値を計算する前記段階は、
計算されたスペクトル差を用い、正規化処理を遂行して前記スペクトル自己相関値を計算することを特徴とする請求項1に記載のピッチ検出方法。
【請求項５】
計算されたスペクトル自己相関値に基づいて有声音区間を決定する前記段階は、
計算されたスペクトル自己相関値の周波数成分によって前記有声音区間を決定することを特徴とする請求項1に記載のピッチ検出方法。
【請求項６】
計算されたスペクトル自己相関値に基づいて有声音区間を決定する前記段階は、
計算されたスペクトル自己相関値中の最大スペクトル自己相関値と所定の臨界値を比較する段階と、
前記最大スペクトル自己相関値が前記臨界値より大きい区間を前記有声音区間として決定する段階と、
を含むことを特徴とする請求項1に記載のピッチ検出方法。
【請求項７】
有声音区間に該当するスペクトル自己相関値を用いてピッチを検出する前記段階は、
有声音区間に該当するスペクトル自己相関値に放物線補間またはsinc関数補間を遂行して前記ピッチを検出することを特徴とする請求項1に記載のピッチ検出方法。
【請求項８】
有声音区間に該当するスペクトル自己相関値を用いてピッチを検出する前記段階は、
前記補間されたスペクトル自己相関値中の最大スペクトル自己相関値に対応する局所ピークの位置を前記ピッチとして検出することを特徴とする請求項7に記載のピッチ検出方法。
【請求項９】
入力音声信号に対するピッチ検出方法において、
入力された音声信号を前処理してフーリエ変換を遂行する段階と、
変換された音声信号に対して補間を遂行する段階と、
変換および補間された音声信号のスペクトラムに対して正規化局所重心を計算する段階と、
計算された正規化局所重心を用いてスペクトル自己相関値を計算する段階と、
計算されたスペクトル自己相関値に基づいて有声音区間を決定する段階と、
有声音区間に該当するスペクトル自己相関値を用いてピッチを検出する段階と、
を含むことを特徴とするピッチ検出方法。
【請求項１０】
変換された音声信号に対して補間を遂行する前記段階は、
所定の低域周波数範囲に該当する振幅に対して低域通過補間を遂行する段階と、
最初のサンプルレートのR倍に該当するようにシーケンスをリサンプリングする段階と、
を含むことを特徴とする請求項9に記載のピッチ検出方法。
【請求項１１】
計算されたスペクトル自己相関値に基づいて有声音区間を決定する前記段階は、
計算されたスペクトル自己相関値中の最大スペクトル自己相関値と所定の臨界値を比較する段階と、
前記最大スペクトル自己相関値が前記臨界値より大きい区間を前記有声音区間として決定する段階と、
を含むことを特徴とする請求項9に記載のピッチ検出方法。
【請求項１２】
有声音区間に該当するスペクトル自己相関値を用いてピッチを検出する前記段階は、
有声音区間に該当するスペクトル自己相関値に放物線補間またはsinc関数補間を遂行して前記ピッチを検出することを特徴とする請求項9に記載のピッチ検出方法。
【請求項１３】
有声音区間に該当するスペクトル自己相関値を用いてピッチを検出する前記段階は、
前記補間されたスペクトル自己相関値中の最大スペクトル自己相関値に対応する局所ピークの位置を前記ピッチとして検出することを特徴とする請求項12に記載のピッチ検出方法。
【請求項１４】
請求項1ないし13のいずれか一項の方法を実行するためのプログラムが記録されていることを特徴とするコンピュータで読み取り可能な記録媒体。
【請求項１５】
入力音声信号に対するピッチ検出装置において、
入力された音声信号を前処理する前処理部と、
前処理された音声信号に対してフーリエ変換を遂行するフーリエ変換部と、
変換された音声信号に対して補間を遂行する補間部と、
変換および補間された音声信号のスペクトラムの差異によってスペクトル差を計算するスペクトル差計算部と、
計算されたスペクトル差を用いてスペクトル自己相関値を計算するスペクトル自己相関値計算部と、
計算されたスペクトル自己相関値に基づいて有声音区間を決定する有声音区間決定部と、
有声音区間に該当するスペクトル自己相関値を用いてピッチを検出するピッチ検出部と、
を含むことを特徴とするピッチ検出装置。
【請求項１６】
前記補間部は、所定の低域周波数範囲に該当する振幅に対して低域通過補間を遂行し、最初のサンプルレートのR倍に該当するようにシーケンスをリサンプリングすることを特徴とする請求項15に記載のピッチ検出装置。
【請求項１７】
前記スペクトル自己相関値計算部は、計算されたスペクトル差を用い、正規化処理を遂行して前記スペクトル自己相関値を計算することを特徴とする請求項15に記載のピッチ検出装置。
【請求項１８】
前記有声音区間決定部は、計算されたスペクトル自己相関値中の最大スペクトル自己相関値と所定の臨界値を比較し、前記最大スペクトル自己相関値が前記臨界値より大きい区間を前記有声音区間として決定することを特徴とする請求項15に記載のピッチ検出装置。
【請求項１９】
前記ピッチ検出部は、有声音区間に該当するスペクトル自己相関値に放物線補間またはsinc関数補間を遂行して前記ピッチを検出することを特徴とする請求項15に記載のピッチ検出装置。
【請求項２０】
前記ピッチ検出部は、前記補間されたスペクトル自己相関値中の最大スペクトル自己相関値に対応する局所ピークの位置を前記ピッチとして検出することを特徴とする請求項19に記載のピッチ検出装置。
【請求項２１】
入力音声信号に対するピッチ検出装置において、
入力された音声信号を前処理する前処理部と、
前処理された音声信号に対してフーリエ変換を遂行するフーリエ変換部と、
変換された音声信号に対して補間を遂行する補間部と、
変換および補間された音声信号のスペクトラムに対して正規化局所重心を計算する正規化局所重心計算部と、
計算された正規化局所重心を用いてスペクトル自己相関値を計算するスペクトル自己相関値計算部と、
計算されたスペクトル自己相関値に基づいて有声音区間を決定する有声音区間決定部と、
有声音区間に該当するスペクトル自己相関値を用いてピッチを検出するピッチ検出部と、
を含むことを特徴とするピッチ検出装置。
【発明の詳細な説明】
【技術分野】
【０００１】
本発明は、スペクトル自己相関値を用いて入力音声信号に対するピッチを検出する方法および装置に関する。
【背景技術】
【０００２】
音声認識、合成および分析のような音声信号処理分野において、基本周波数、すなわちピッチ周期を正確に検出することは重要である。万一、音声信号の基本周波数を正確に検出することができると、音声認識において話し手による影響を減らすことができるため認識の正確度を高めることができ、音声合成時に自然性や個性を容易に変更したり維持することができる。また、音声分析時にピッチに同期させて分析すると、声紋の影響が除去された正確な声道パラメータを得ることができる。
【０００３】
このように、音声信号からピッチ検出を遂行することは重要な作業であるため、このための方法が多様に提案された。これは、時間領域検出方法、周波数領域検出方法、時間−周波数混成領域検出方法に区分することができる。
【０００４】
時間領域検出方法は、波形の周期性を強調した後に決定論理によってピッチを検出する方法であって、並列処理法、平均振幅差関数（Average Magnitude Difference Function：AMDF）、自己相関法（Auto−Correlation Method：ACM）などがある。このような方法は、通常、時間領域で遂行されるため領域の変換が不必要であり、合、差、比較論理などの簡単な演算のみが必要となる。しかし、音素が遷移区間に渡っている場合には、フレーム内のレベル変化が激しくてピッチ周期が変動するためにピッチ検出が困難であり、フォルマント（formant）によって多くの影響を受けるようになる。特に、雑音が混ざった音声の場合には、ピッチ検出のための決定論理が複雑になり検出エラーが増加するという短所がある。
【０００５】
周波数領域検出方法は、音声スペクトラムの高調波間隔を測定して有声音の基本周波数を検出する方法であって、高調波分析法、リフター（Lifter）法、コームフィルタリング（Comb−filtering）法などが提案されている。一般的に、スペクトラムは一フレーム単位で求められるため、この区間で音素の遷移や変動が起きたり背景雑音が発生しても平均化されるため、その影響は少ない。しかし、処理過程上、周波数領域への変換過程が必要であるため計算が複雑であり、基本周波数の精密性を高めるためにFFTのポインタ数を増やすと、それだけ時間が長くなり変化特性に鈍くなる。
【０００６】
時間−周波数混成領域検出方法は、時間領域法の計算時間節減とピッチの精密性、そして周波数領域法の背景雑音や音素変化に対してもピッチを正確に求めることができるという長所を取り上げたものである。このような方法としては、ケプストラム（Cepstrum）法、スペクトラム比較法などがある。この方法は、時間と周波数領域を往復する時、誤差が加重されて現われるためピッチ抽出の影響を受けたり、また、時間と周波数領域を同時に適用するため計算過程が複雑であるという短所がある。
【発明の開示】
【発明が解決しようとする課題】
【０００７】
本発明は、スペクトル差およびそのスペクトル自己相関値を時間領域の信号でのように用いて入力音声信号に対するピッチを検出する方法と、スペクトラムの正規化局所重心およびそのスペクトル自己相関値を時間領域の信号でのように用いて入力音声信号に対するピッチを検出する方法、そして前記方法を遂行するピッチ検出装置を提供することを目的とする。
【課題を解決するための手段】
【０００８】
上記の技術的課題を達成するために、本発明の一実施形態によるピッチ検出装置は、入力された音声信号を前処理する前処理部と、前処理された音声信号に対してフーリエ変換を遂行するフーリエ変換部と、変換された音声信号に対して補間（interpolation）を遂行する補間部と、変換および補間された音声信号のスペクトラムの差異によってスペクトル差（spectral difference）を計算するスペクトル差計算部と、計算されたスペクトル差を用いてスペクトル自己相関値（auto−correlation）を計算するスペクトル自己相関値計算部と、計算されたスペクトル自己相関値に基づいて有声音（voicing）区間を決定する有声音区間決定部および有声音区間に該当するスペクトル自己相関値を用いてピッチを検出するピッチ検出部とを含む。
【０００９】
本発明の他の実施形態によるピッチ検出装置は、入力された音声信号を前処理する前処理部と、前処理された音声信号に対してフーリエ変換を遂行するフーリエ変換部と、変換された音声信号に対して補間を遂行する補間部と、変換および補間された音声信号のスペクトラムに対して正規化局所重心（Normalized Local Center of Gravity：NLCG）を計算する正規化局所重心計算部と、計算された正規化局所重心を用いてスペクトル自己相関値を計算するスペクトル自己相関値計算部と、計算されたスペクトル自己相関値に基づいて有声音区間を決定する有声音区間決定部および有声音区間に該当するスペクトル自己相関値を用いてピッチを検出するピッチ検出部とを含む。
【００１０】
本発明の更に他の実施形態によるピッチ検出方法は、入力された音声信号を前処理してフーリエ変換を遂行する段階と、変換された音声信号に対して補間を遂行する段階と、変換および補間された音声信号のスペクトラムの差異によってスペクトル差を計算する段階と、計算されたスペクトル差を用いてスペクトル自己相関値を計算する段階と、計算されたスペクトル自己相関値に基づいて有声音区間を決定する段階と、有声音区間に該当するスペクトル自己相関値を用いてピッチを検出する段階とを含む。
【００１１】
本発明の更に他の実施形態によるピッチ検出方法は、入力された音声信号を前処理してフーリエ変換を遂行する段階と、変換された音声信号に対して補間を遂行する段階と、変換および補間された音声信号のスペクトラムに対して正規化局所重心を計算する段階と、計算された正規化局所重心を用いてスペクトル自己相関値を計算する段階と、計算されたスペクトル自己相関値に基づいて有声音区間を決定する段階と、有声音区間に該当するスペクトル自己相関値を用いてピッチを検出する段階とを含む。
【００１２】
また、前記方法は、コンピュータで実行させるためのプログラムが記録されていることを特徴とするコンピュータで読み取り可能な記録媒体として具現される。
【発明の効果】
【００１３】
本発明によると、スペクトル差およびそのスペクトル自己相関値を時間領域の信号でのように用いて入力音声信号に対するピッチを検出する方法と、スペクトラムの正規化局所重心およびそのスペクトル自己相関値を時間領域の信号でのように用いて入力音声信号に対するピッチを検出する方法、および前記方法を遂行するピッチ検出装置が提供される。
【００１４】
本発明によると、各周期間の偏差が最小化されて雑音環境においても大きな影響を受けず、ピッチ検出の正確度を大きく向上させることができる新しいピッチ検出方法おびピッチ検出装置が提供される。
【発明を実施するための最良の形態】
【００１５】
以下、添付の図面を参照して、本発明の実施形態に対して詳細に説明することにする。
【００１６】
図1は、本発明の一実施形態によるピッチ検出装置を示したブロック図である。
【００１７】
図1に示したように、本実施形態によるピッチ検出装置（100）は、前処理部（101）、フーリエ変換部（102）、補間部（103）、スペクトル差計算部（104）、スペクトル自己相関値計算部（105）、有声音区間決定部（106）およびピッチ検出部（107）を含む。
【００１８】
本実施形態によるピッチ検出装置（100）は、スペクトル差およびそのスペクトル自己相関値を用いて入力音声信号に対するピッチを検出し、前記スペクトル差の波形は時間領域の波形と類似した形態で現われ、前記スペクトル差を用いて計算したスペクトル自己相関値のグラフにおいてはピッチ周波数に対応するピークが現われる。
【００１９】
図2は、図1のピッチ検出装置が遂行するピッチ検出方法を示した流れ図である。
【００２０】
段階（S201）で、前処理部（101）は、入力された音声信号を前処理（pre−processing）し、段階（S202）で、フーリエ変換部（102）は、前処理された音声信号に対して下記［数１］のようにフーリエ変換（Fourier Transform）を遂行する。
【００２１】
【数１】
0004444254.tif 000002
【００２２】
段階（S203）で、補間部（103）は、変換された音声信号に対して下記［数２］のように補間（interpolation）を遂行する。
【００２３】
【数２】
0004444254.tif 000003
【００２４】
段階（S203）で、補間部（103）は、所定の低域周波数範囲（例：0〜1．5kHz）に該当する振幅（amplitudes）に対して低域通過補間（low−pass interpolation）を遂行し、［数２］のように最初のサンプルレートのR（Li／Lk）倍に該当するようにシーケンスをリサンプリング（resample）することができる。このような補間によって、サンプル間隔が狭くて解像度（resolution）が下がる現状を緩和し、周波数の解像度を向上させることができる。
【００２５】
段階（S204）で、スペクトル差計算部（104）は、変換および補間された音声信号のスペクトラムの周波数間の差異によってスペクトル差（spectral difference）を計算する。これは下記［数３］のように現わすことができる。
【００２６】
【数３】
0004444254.tif 000004
【００２７】
段階（S204）で、スペクトル差計算部（104）は、正の値を有する（positive）スペクトラムの差異によって前記スペクトル差を計算することができ、前記計算されたスペクトル差の波形は、時間領域の波形と類似した形態で現われる。
【００２８】
段階（S205）で、スペクトル自己相関値計算部（105）は、計算されたスペクトル差を用いてスペクトル自己相関値（auto−correlation）を計算する。この場合、スペクトル自己相関値計算部（105）は、下記［数４］のように、計算されたスペクトル差を用い、正規化処理（normalization）を遂行して前記スペクトル自己相関値を計算する。
【００２９】
【数４】
0004444254.tif 000005
【００３０】
段階（S206）で、有声音区間決定部（106）は、計算されたスペクトル自己相関値の周波数成分によって有声音（voicing）区間を決定する。この場合、有声音区間決定部（106）は、下記［数５］のように、計算されたスペクトル自己相関値中の最大スペクトル自己相関値と所定の臨界値を比較し、前記最大スペクトル自己相関値が前記臨界値より大きい区間を前記有声音区間として決定することができる。
【００３１】
【数５】
0004444254.tif 000006
【００３２】
段階（S207）で、ピッチ検出部（107）は、下記［数６］のように、有声音区間に該当するスペクトル自己相関値を用いてピッチを検出する。
【００３３】
【数６】
0004444254.tif 000007
【００３４】
段階（S207）で、ピッチ検出部（107）は、有声音区間に該当するスペクトル自己相関値に放物線補間（parabolic interpolation）またはsinc関数補間（sinc function interpolation）を遂行して前記ピッチを検出することができる。すなわち、ピッチ検出部（107）は、前記補間されたスペクトル自己相関値中の最大スペクトル自己相関値に対応する局所ピークの位置を前記ピッチとして検出することができる。
【００３５】
図3は、上述した図2のピッチ検出方法を実験的に遂行して現われた結果波形を示した図である。
【００３６】
図3において、（a）は入力信号を示すものであり、（a）の丸１は男性音声の信号を、（a）の丸２は男性音声と白色雑音（white noise）が混ざった信号を、（a）の丸３は男性音声と飛行機の騷音が混ざった信号をそれぞれ現わしており、（a）の丸４は女性音声の信号を、（a）の丸５は女性音声と白色雑音が混ざった信号を、（a）の丸６は女性音声と飛行機の騷音が混ざった信号をそれぞれ現わしている。
【００３７】
また、図3において、（b）、（c）は、このように入力された入力信号を図2のように処理して現われた波形を示したものであって、（b）は計算されたスペクトル自己相関値と臨界値（Tsa）を用いて有声音区間を決定する様子を、（c）は有声音区間に該当するスペクトル自己相関値を用いてピッチを検出した結果をそれぞれ現わしたものである。
【００３８】
図4は、本発明の他の実施形態によるピッチ検出装置を示したブロック図である。
【００３９】
図4に示したように、本実施形態によるピッチ検出装置（400）は、前処理部（401）、フーリエ変換部（402）、補間部（403）、正規化局所重心計算部（404）、スペクトル自己相関値計算部（405）、有声音区間決定部（406）およびピッチ検出部（407）を含む。
【００４０】
本実施形態によるピッチ検出装置（400）は、正規化局所重心およびそのスペクトル自己相関値を用いて入力音声信号に対するピッチを検出し、前記正規化局所重心の波形は、時間領域の波形と類似した形態で現われ、前記の実施形態に比べて高調波（harmonics）の周期的な構造がより効果的に保存され、前記正規化局所重心を用いて計算したスペクトル自己相関値のグラフにおいては、ピッチ周波数に対応するピークが現われる。
【００４１】
図5は、図4のピッチ検出装置が遂行するピッチ検出方法を示した流れ図である。
【００４２】
段階（S501）で、前処理部（401）は、入力された音声信号を前処理し、段階（S502）で、フーリエ変換部（402）は、前処理された音声信号に対して既に説明した［数１］のようにフーリエ変換を遂行する。
【００４３】
段階（S503）で、補間部（403）は、変換された音声信号に対して既に説明した［数２］のように補間を遂行する。この場合、補間部（403）は、所定の低域周波数範囲（例：0〜1．5kHz）に該当する振幅に対して低域通過補間を遂行し、［数２］のように最初のサンプルレートのR（Li／Lk）倍に該当するようにシーケンスをリサンプリング（resample）することができる。このような補間によって、サンプル間隔が狭くて解像度（resolution）が下がる現状を緩和し、周波数の解像度を向上させることができる。
【００４４】
段階（S504）で、正規化局所重心計算部（404）は、変換および補間された音声信号のスペクトラムに対して正規化局所重心（Normalized Local Center of Gravity：NLCG）を計算する。これは、下記［数７］のように現わすことができる。
【００４５】
【数７】
0004444254.tif 000008
【００４６】
ここで、Uはローカル領域を現わす。前記計算された正規化局所重心の波形は、時間領域の波形と類似した形態で現われ、前記の実施形態に比べて高調波の周期的な構造がより効果的に保存される。
【００４７】
段階（S505）で、スペクトル自己相関値計算部（405）は、計算された正規化局所重心を用いてスペクトル自己相関値（auto−correlation）を計算する。これは、下記［数８］のように現わすことができる。
【００４８】
【数８】
0004444254.tif 000009
【００４９】
この場合、スペクトル自己相関値計算部（405）は、前記の実施形態とは異なり正規化処理（normalization）を別途で遂行しない。これは、前記正規化局所重心の計算時に正規化処理が既に遂行されたためである。
【００５０】
段階（S506）で、有声音区間決定部（406）は、計算されたスペクトル自己相関値に基づいて有声音区間を決定する。この場合、有声音区間決定部（406）は、既に説明した［数５］のように、計算されたスペクトル自己相関値中の最大スペクトル自己相関値と所定の臨界値を比較し、前記最大スペクトル自己相関値が前記臨界値より大きい区間を前記有声音区間として決定することができる。
【００５１】
段階（S507）で、ピッチ検出部（407）は、既に説明した［数６］のように、有声音区間に該当するスペクトル自己相関値を用いてピッチを検出する。この場合、ピッチ検出部（407）は、有声音区間に該当するスペクトル自己相関値に放物線補間またはsinc関数補間を遂行して前記ピッチを検出することができる。すなわち、ピッチ検出部（407）は、前記補間されたスペクトル自己相関値中の最大スペクトル自己相関値に対応する局所ピークの位置を前記ピッチとして検出することができる。
【００５２】
図6は、上述した図5のピッチ検出方法を実験的に遂行して現われた結果波形を示した図である。
【００５３】
図6において、（a）は入力信号を示すものであり、（a）の丸１は男性音声の信号を、（a）の丸２は男性音声と白色雑音（white noise）が混ざった信号を、（a）の丸３は男性音声と飛行機の騷音が混ざった信号をそれぞれ現わしており、（a）の丸４は女性音声の信号を、（a）の丸５は女性音声と白色雑音が混ざった信号を、（a）の丸６は女性音声と飛行機の騷音が混ざった信号をそれぞれ現わしている。
【００５４】
また、図6において、（b）、（c）は、このように入力された入力信号を図5のように処理して現われた波形を示したものであり、（b）は計算されたスペクトル自己相関値と臨界値（Tsa）を用いて有声音区間を決定する様子を、（c）は有声音区間に該当するスペクトル自己相関値を用いてピッチを検出する様子をそれぞれ現わしたものである。
【００５５】
図7は、スペクトル差の波形と正規化局所重心の波形を簡略に比較するための図である。
【００５６】
図7には、雑音での男性声音の一つのフレームのスペクトラム（1．5kHz）に対して補間を遂行した後、スペクトル差および正規化局所重心をそれぞれ計算した波形が示されている。
【００５７】
図7において、前記波形にそれぞれマーク（mark）したように、正規化局所重心の波形は、スペクトル差の波形より高調波（harmonic）成分をより強調することで高調波の周期的な構造がより効果的に保存される。
【００５８】
本発明によるピッチ検出方法は、多様なコンピュータ手段を介して遂行されるプログラム命令形態で具現されてコンピュータ読み取り可能媒体に記録される。前記コンピュータ読み取り可能媒体は、プログラム命令、データファイル、データ構造などを単独または組み合わせて含むことができる。前記媒体に記録されるプログラム命令は、本発明のために特別に設計されて構成されたものであったり、コンピュータソフトウェア当業者に公知されて使用可能なものであったりする。コンピュータ読み取り可能記録媒体の例としては、ハードディスク、フロッピィーディスクおよび磁気テープのような磁気媒体（magnetic media）、CD−ROM、DVDのような光記録媒体（optical media）、フロプティカルディスク（floptical disk）のような磁気−光媒体（magneto−optical media）、およびロム（ROM）、ラム（RAM）、フラッシュメモリなどのようなプログラム命令を格納して遂行するように特別に構成されたハードウェア装置が含まれる。前記媒体は、プログラム命令、データ構造などを指定する信号を送信する搬送波を含む光または金属線、導波管などの送信媒体であったりもする。プログラム命令の例としては、コンパイラによって生成されるもののような機械語コードだけではなく、インタプリタなどを用いてコンピュータによって実行される高級言語コードを含む。前記したハードウェア装置は、本発明の動作を遂行するために一つ以上のソフトウェアモジュールとして作動するように構成されることができ、その逆も同様である。
【００５９】
以上のように、本発明は限定された実施形態と図面によって説明されたが、本発明は前記の実施形態に限定されるものではなく、本発明が属する分野において通常の知識を有する者にとっては、このような記載から多様な修正および変形が可能である。
【００６０】
よって、本発明の範囲は、説明された実施形態に局限されて定められてはならず、添付の特許請求の範囲だけでなく、この特許請求の範囲と均等なものによって定められなければならない。
【図面の簡単な説明】
【００６１】
【図１】本発明の一実施形態によるピッチ検出装置を示したブロック図である。
【図２】図1のピッチ検出装置が遂行するピッチ検出方法を示した流れ図である。
【図３】図2のピッチ検出方法を実験的に遂行して現われた結果波形を示した図である。
【図４】本発明の他の実施形態によるピッチ検出装置を示したブロック図である。
【図５】図4のピッチ検出装置が遂行するピッチ検出方法を示した流れ図である。
【図６】図5のピッチ検出方法を実験的に遂行して現われた結果波形を示した図である。
【図７】スペクトル差の波形と正規化局所重心の波形を簡略に比較するための図である。
【符号の説明】
【００６２】
100  ピッチ検出装置
101  前処理部
102  フーリエ変換部
103  補間部
104  スペクトル差計算部
105  スペクトル自己相関値計算部
106  有声音区間決定部
107  ピッチ検出部
【図１】
0004444254.tif 000010
【図２】
0004444254.tif 000011
【図４】
0004444254.tif 000012
【図５】
0004444254.tif 000013
【図３】
0004444254.tif 000014
【図６】
0004444254.tif 000015
【図７】
0004444254.tif 000016